(57)【要約】【課題】  プリンタとホストコンピュータ間の双方向通信の可否に関係なく、プリンタドライバのインストールを容易にする。【解決手段】  プリンタは、操作パネル、記録装置、及びデータ部とインストーラ環境設定情報出力部とからなるプリンタドライバ出力部とを備え、前記データ部は、前記プリンタに対応するプリンタドライバを対象となるＯＳ毎に保持し、かつ、環境設定情報としてプリンタモデル、プリンタの接続先、プリンタドライバ初期設定の情報を保持し、インストーラ環境設定情報出力部は、前記データ部を前記記録装置を介して前記外部記憶媒体へ記録し、前記ホストコンピュータは、前記外部記憶媒体を読み取る手段を持つ読取装置と前記プリンタドライバインストーラが動作する手段とを備え、前記インストーラは、前記ホストコンピュータ上で動作し、前記環境設定情報を元にインストールに必要な情報を自動で入力しプリンタドライバのインストールを行う。【選択図】図１
2005352852.tif 000002
【特許請求の範囲】
【請求項１】
プリンタと、該プリンタとＩ／Ｆを介して接続したホストコンピュータと、外部記憶媒体からなる印刷システムにおいて、前記プリンタは、操作パネル、記録装置、及びデータ部とインストーラ環境設定情報出力部とからなるプリンタドライバ出力部とを備え、前記データ部は、前記プリンタに対応するプリンタドライバを対象となるＯＳ毎に保持し、かつ、環境設定情報としてプリンタモデル、プリンタの接続先、プリンタドライバ初期設定の情報を保持し、インストーラ環境設定情報出力部は、前記データ部を前記記録装置を介して前記外部記憶媒体へ記録し、前記ホストコンピュータは、前記外部記憶媒体を読み取る手段を持つ読取装置と前記プリンタドライバインストーラが動作する手段とを備え、前記インストーラは、前記ホストコンピュータ上で動作し、前記環境設定情報を元にインストールに必要な情報を自動で入力しプリンタドライバのインストールを行う手段を備える事を特徴とするプリンタドライバのインストールシステム。
【発明の詳細な説明】
【技術分野】
【０００１】
本発明は、印刷システム及び該システムにおけるプリンタドライバのインストール方システムに関する。
【背景技術】
【０００２】
印刷システムは、プリンタとホストコンピュータそして両デバイスを接続するＩ／Ｆで構成される。ホストコンピュータからプリンタへ印刷を行うには、プリンタに対応したプリンタドライバをインストールする必要がある。
【０００３】
プリンタドライバは、ＣＤ−ＲＯＭなどの記憶媒体に記録され提供されることが多く、記憶媒体をホストコンピュータの読取装置に挿入しインストールを行う。プリンタドライバのインストールにおいて、プリンタのモデルを選択し、接続先（ＩＰアドレスなど）を指定する必要がある。また、プリンタドライバのインストール完了後も初期設定を行う必要がある。プラグアンドプレイ対応のプリンタの場合、これらの設定のほとんどが自動で行われるため、プリンタドライバを容易にインストールすることができる。しかし、ネットワーク対応のプリンタの場合、プラグアンドプレイを利用してプリンタドライバのインストールを行うことはできない。
【０００４】
ネットワーク対応プリンタのプリンタドライバのインストールにおいて、ユーザはプリンタモデルの選択、接続先の設定そしてプリンタドライバの初期設定を行うために、ある程度の知識が必要であるため、ユーザにとって困難な作業であった。
【０００５】
この問題を解決する方法として、ネットワーク対応プリンタにおいて、プリンタドライバのインストールを容易化する方法が公知になっているが、ホストコンピュータとプリンタ間で双方向通信が行えるというのが前提とされている（例えば、特許文献１参照。）。
【０００６】
【特許文献１】特開平１０−３４０１６８号公報
【発明の開示】
【発明が解決しようとする課題】
【０００７】
本発明は、ホストコンピュータとプリンタ間で双方向間通信の可否に関係なく、プリンタドライバのインストールを容易に行えるようにすることを目的とする。
【課題を解決するための手段】
【０００８】
上記目的は、プリンタと、該プリンタとＩ／Ｆを介して接続したホストコンピュータと、外部記憶媒体からなる印刷システムにおいて、前記プリンタは、操作パネル、記録装置、及びデータ部とインストーラ環境設定情報出力部とからなるプリンタドライバ出力部とを備え、前記データ部は、前記プリンタに対応するプリンタドライバを対象となるＯＳ毎に保持し、かつ、環境設定情報としてプリンタモデル、プリンタの接続先、プリンタドライバ初期設定の情報を保持し、インストーラ環境設定情報出力部は、前記データ部を前記記録装置を介して前記外部記憶媒体へ記録し、前記ホストコンピュータは、前記外部記憶媒体を読み取る手段を持つ読取装置と前記プリンタドライバインストーラが動作する手段とを備え、前記インストーラは、前記ホストコンピュータ上で動作し、前記環境設定情報を元にインストールに必要な情報を自動で入力しプリンタドライバのインストールを行う手段を備えることによって達成される。
【発明の効果】
【０００９】
本発明によれば、プリンタドライバのインストールにおいて、プリンタとホストコンピュータ間の双方向通信の可否に関係なく容易にプリンタドライバのインストールを行うことができる。
【発明を実施するための最良の形態】
【００１０】
図１は、本発明の一実施形態に係る印刷システムの構成を示すブロック図である。
【００１１】
印刷システムは、プリンタ１００と、ホストコンピュータ２００がＩ／Ｆ４００を介して接続されており、プリンタ１００とホストコンピュータ２００間でデータの受け渡しを行うための外部記憶媒体３００から構成される。
【００１２】
プリンタ１００は、操作パネル１１０、プリンタドライバ出力部１２０、記録装置１３０を備えている。
【００１３】
操作パネル１１０では、プリンタドライバを外部記憶媒体３００に記録するか選択することができる。
【００１４】
プリンタドライバ出力部１２０では、インストーラ環境設定情報出力部１２１とデータ部１２６を備え、データ部１２６には外部記憶媒体３００に記憶するデータとしてインストーラ１２７と環境設定情報１２８が記録されている。インストーラ１２７は、ＯＳ毎にそれぞれ対応するプリンタドライバを備え、ホストコンピュータ２００上で動作し、ＯＳに合ったプリンタドライバを選択しインストールする機能を有する。また、インストールする際、インストーラ１２７は環境設定情報１２８を基に、プリンタモデルの選択、接続先の設定、そしてプリンタドライバの初期設定を自動で行うことができる。環境設定情報１２８は、インストーラ環境設定情報出力部１２１が、自身のプリンタのモデル情報、接続先設定、機構などから必要な情報を取得し、これらの情報を基に作成される。
【００１５】
外部記憶媒体３００は、インストーラ１２７と環境設定情報１２８を記録するのに十分な記憶容量を保持する。
【００１６】
ホストコンピュータ２００は、外部記憶媒体３００に記録された情報を読み取ることができる読取装置２０１を備えている。
【００１７】
上記の構成により、操作パネル１１０からプリンタドライバを外部記憶媒体３００に記録するように指定すると、外部記憶媒体３００にインストーラ１２７と環境設定情報１２８が記録される。ユーザは、その外部記憶媒体３００をホストコンピュータ２００の読取装置２０１に挿入し、インストーラ１２７をホストコンピュータ２００上で動作させるとホストコンピュータのＯＳを自動で判別しそれに合ったプリンタドライバをインストールする。インストールする際、プリンタモデルの選択、接続先の設定、そしてプリンタドライバの初期設定は、環境設定情報１２８を基に自動で行われるため、プリンタドライバを容易にインストールすることができる。
【図面の簡単な説明】
【００１８】
【図１】本発明の一実施形態に係るプリントシステムの構成を示すブロック図。
【符号の説明】
【００１９】
１００はプリンタ、１１０は操作パネル、１２０はプリンタドライバ出力部、１２１はインストーラ環境設定情報出力部、１２６はデータ部、１２７はインストーラ、１２８は環境設定情報部、２００はホストコンピュータ、２０１は読取装置、４００はＩ／Ｆである。
【図１】
2005352852.tif 000003